(57)【要約】【課題】  高電界中にいる人が、高電界発生装置の動作中でも良好なオーディオ再生機能を一体的に使用でき、その人が辺りに迷惑をかけず好きにオーディオを楽しみながら、快適で効率的なリラクゼーションや健康増進を可能とする高電界発生装置に付帯するオーディオ装置を提供する。【解決手段】  所定位置にいる人に高電圧による電界を与えるための人体用の高電界発生装置とともに用いられるオーディオ装置であって、無線伝送方式によりオーディオ信号の送受信を行う送信ユニットと受信ユニットとを備え、前記送信ユニットは、オーディオ信号を受信ユニットに送信する手段を備えて、前記の人から離間して配置され、前記受信ユニットは、送信ユニットから送信された前記オーディオ信号を受信して内蔵するスピーカにより出力する手段を備え、前記の人の頭部近接位置に配置され、構成されるオーディオ装置とした。【選択図】      図１
2005102071.tif 000002
【特許請求の範囲】
【請求項１】
所定位置にいる人に高電圧による電界を与えるための高電界発生装置とともに用いられるオーディオ装置であって、
無線伝送方式によりオーディオ信号の送受信を行う送信ユニットと受信ユニットとを備え、
前記送信ユニットは、オーディオ信号を受信ユニットに送信する手段を備えて、前記の人から離間して配置され、
前記受信ユニットは、前記送信ユニットから送信された前記オーディオ信号を受信して内蔵するスピーカにより出力する手段を備えて、前記の人の頭部近接位置に配置され、
構成されることを特徴とするオーディオ装置。
【請求項２】
請求項１に記載のオーディオ装置において、
前記受信ユニットは、その内部に、前記スピーカと、充電式または非充電式のバッテリーとを備え、前記の人の頭部背面位置に設置される一体型のヘッドレスト部として構成される、ことを特徴とするオーディオ装置。
【請求項３】
請求項２に記載のオーディオ装置において、
前記受信ユニットのバッテリーは純粋直流成分を有し、
前記高電界発生装置の使用時における高圧コードの配置・接続にともなう微放電現象を、前記スピーカから出力されるノイズとして検出する、ことを特徴とするオーディオ装置。
【請求項４】
請求項３に記載のオーディオ装置において、
前記ノイズを検出することにより、前記高電界発生装置の状況異常を報知する機能を備える、ことを特徴とするオーディオ装置。
【請求項５】
請求項１〜４いずれかに記載のオーディオ装置において、
前記受信ユニットは圧電素子を有し、これにより受信ユニットの表面に設置した平面板状部材の機械的振動を直接音圧に変換する、ことを特徴とするオーディオ装置。
【請求項６】
請求項２〜５いずれかに記載のオーディオ装置において、
前記高電界発生装置は、
前記所定位置に人が着座するための椅子状の着座部と
前記着座する人の背面が当接する位置に形成される背もたれ部と、
前記高電界発生装置が設置される面に対して前記背もたれ部が角度自在に設定できるリクライニング機構と、
前記背もたれ部において、着座する人の頭部に近接して設置される受信ユニットと、
を備え、
前記受信ユニットは、送信ユニットから送信されるオーディオ信号を受信するための受光部を有し、
この受光部は、送信ユニットと対向する曲面上に、複数個数の受光素子が設定配置される、ことを特徴とするオーディオ装置。
【請求項７】
所定位置にいる人に高電位による電界を与えるための高電界発生装置と、前記の人が聴くためのオーディオ設備と、を備えるオーディオ機能付き高電界発生システムであって、
前記高電界発生装置は、高電圧発生装置、高電圧用コード、高電界発生用電極、人の着座部と背もたれ部、を備え、
前記オーディオ設備には、請求項１〜６いずれかに記載のオーディオ装置が適用されて構成される、ことを特徴とするオーディオ機能付き高電界発生システム。
【発明の詳細な説明】
【技術分野】
【０００１】
本発明は、所定位置に人を配置しておいて、その人に高電圧による高電界を与えるための人体用の高電界発生装置とともに用いられるオーディオ装置、およびオーディオ機能が付帯した高電界発生システムに関するものである。
【背景技術】
【０００２】
従来からの人体に適用する高電界発生装置としては、高電圧による電界を利用して人体(被治療者)への治療を行うための電位治療器があり、また、人の周囲に高電圧による高電界環境を形成しておいてこの高電界中に人を所定時間中滞在配置しておくことにより、一種のくつろぎ空間を演出してリラクゼーション効果が得られる高電界による健康機器などもある。
【特許文献１】特開平２００２−１７７４０２
【特許文献２】実用新案公報第２５２１３１１号
【０００３】
高電界発生装置によって高電界中に置かれている人(被治療者など)は、この間、音声や音楽などのオーディオを再生して聞くことによって一層増幅されたくつろぎ感が得ることができる。そして、高電界中にいるその人(被治療者)が、辺りに迷惑をかけることなく自分が好きなようにオーディオ音響を楽しむためには、その人の耳元または頭部近接位置にスピーカを配置することとすれば、これにより、さらにリラックス感覚が増強され、治療の効果への補助的作用が得られるとともに、健康感覚やリラクゼーションの増大につながってゆく。
【０００４】
ところが、高電界発生装置により高電界中に身を置いている人(被治療者)が、そばにあるオーディオ装置から、音声や音楽などのオーディオをスピーカで再生して聞こうとしたとき、そのオーディオ装置によって高電界発生装置から発生される高電界が乱されることがあり、これにより本来求められている高電界発生装置の品質に悪い影響が現れることがある。また逆に、高電界発生装置の周囲に形成された高電界の影響によって、オーディオ装置の再生音が本来の原音に忠実な再生ができない、ということもありうる。
【０００５】
そして、オーディオ装置とその音源が高電界発生装置に内蔵されているものもあるが、その場合は、音源の種類や数には限りがあって、その人(被治療者)が希望する音楽等を探そうにもその選択肢の幅に乏しくなることがある。また、高電界発生装置自体が大型のものであったり、各種の接続機器やコード・コネクタ類などを連結接続して用いる場合もあり、このときは、設置場所のスペースが増大したり操作の煩雑化を招いたりする、などの問題がある。
【発明の開示】
【発明が解決しようとする課題】
【０００６】
本発明は、従来の上記した問題点に鑑みてなされたものであり、高電界中にいる人(被治療者)が、高電界発生装置の動作中でも良好なオーディオ再生機能を一体的に使用でき、その人(被治療者)が辺りに迷惑をかけることなく自分の好きなようにオーディオを楽しみながら、快適で効率的なリラクゼーションや健康増進を可能とする高電界発生装置に付帯するオーディオ装置、またはオーディオ機能付きの高電界発生システム、を提供することを目的とする。
【課題を解決するための手段】
【０００７】
（１）所定位置にいる人に高電圧による電界を与えるための高電界発生装置とともに用いられるオーディオ装置であって、
無線伝送方式によりオーディオ信号の送受信を行う送信ユニットと受信ユニットとを備え、
前記送信ユニットは、オーディオ信号を受信ユニットに送信する手段を備えて、前記の人から離間して配置され、
前記受信ユニットは、送信ユニットから送信された前記オーディオ信号を受信して内蔵するスピーカにより出力する手段を備え、前記の人の頭部近接位置に配置され、構成されるオーディオ装置とした。
【０００８】
（２）(１)のオーディオ装置において、
前記受信ユニットは、その内部には、充電式または非充電式のバッテリーと、前記スピーカと、を備え、前記の人の頭部背面位置に設置される一体型のヘッドレスト部として構成される。
【０００９】
（３）(２)のオーディオ装置において、
前記受信ユニットの前記バッテリーは純粋直流成分を有し、
前記高電界発生装置の使用時における高圧コードの配置・接続にともなう微放電現象を、前記スピーカから出力されるノイズとして検出する手段を有する。
【００１０】
（４）(３)のオーディオ装置において、
前記ノイズを検出することにより、前記高電界発生装置の状況異常を報知する機能を備える。
【００１１】
（５）(１)〜(３)いずれかのオーディオ装置において、
前記受信ユニットは圧電素子を有し、これにより受信ユニットの表面に設置した平面板状部材の機械的振動を直接音圧に変換する。
【００１２】
（６）(２)〜(５)いずれかのオーディオ装置において、
前記高電界発生装置は、
前記所定位置に人が着座するための椅子状の着座部と
前記着座する人の背面が当接する位置に形成される背もたれ部と、
前記高電界発生装置が設置される面に対して前記背もたれ部が角度自在に設定できるリクライニング機構と、
前記椅子背もたれ部において着座する人の頭部に近接して設置される受信ユニットと、を備え、
前記受信ユニットは、送信ユニットから送信されるオーディオ信号を受信するための受光部を有し、
この受光部は、送信ユニットと対向する曲面上に、複数個数の受光素子を設定配置される。
【００１３】
（７）所定位置にいる人に高電位による電界を与えるための人体用の高電界発生装置と、その人のためのオーディオ設備と、を備えるオーディオ機能付き高電界発生システムであって、
前記高電界発生装置は、少なくとも高電圧発生装置・高電圧用コード・高電界発生用電極・人の着座部と背もたれ部、を備え、
前記の人のためのオーディオ設備には、請求項１〜６いずれかに記載のオーディオ装置が適用されて構成されるオーディオ機能付き高電界発生システムとした。
【発明の効果】
【００１４】
上記した本発明によるオーディオ装置およびオーディオ機能付き高電界発生システムは、次に示すような格別の効果を奏する。
（１）高電界発生装置から出る高電界のある環境で治療などを受けている人がオーディオを楽しむにあたり、外部配線のいらない無線伝送方式によりオーディオ信号の送受信を行う送信ユニットと受信ユニットとを別体にして備えて、受信ユニットはその人の側に置き、送信ユニットはその人から離間して配置されるので、その人は送信ユニット側の音源から離れたところで音楽等が容易に鑑賞できるようになった。また、外部配線のない赤外線の無線伝送方式を採用できることにより、装置から発生される電界への影響を極力少なくすることができる。
【００１５】
（２）受信ユニットは、その内部には、充電式または非充電式のバッテリーと、スピーカと、を備えて、所定位置にいる人の頭部背面位置に設置される一体型のヘッドレスト部として構成されるので、高電界を発生する電位治療器の動作中の人体と大きな電位差が生ずることを防ぎ、人体を雷撃から保護することができ、また高圧に帯電した人体が受信ユニットを電気的に破壊することから保護することができる。
【００１６】
（３）受信ユニットの電源を充電式または非充電式のバッテリーとして構成し、このバッテリーを受信ユニット中に収納して、受信ユニット内の電源部分を純粋直流成分とすることにより、高電界を発生する電位治療器使用時に注意を要する高圧コードの配置や接続の異常を発生する微放電現象を、オーディオスピーカ出力される雑音(ノイズ)として容易に検出・出力することができる。
（４）ノイズを検出して電位治療器の状態異常を報知するので、もしも電位治療器の状態に何か異常があったときには、被治療者側で容易にそれを知ることができる。
【００１７】
（５）赤外線方式の受信ユニットのオーディオ出力は、圧電素子を用いて、受信ユニットの表面に設置した樹脂製平面板状部材の機械的振動を直接音圧に変換する方式、すなわちセラミックコンデンサ型スピーカなどが採用できるので、従来のダイナミックスピーカのようなオーディオ出力開口部とその奥行き、ならびに開口部保護のスクリーン用網地布などは必要としない。また、電位治療器の被治療者の両耳に通して、容易にかつ堅牢にスピーカオーディオ出力を伝えることができる。
【００１８】
（６）リクライニング機構付きの電位治療器に取り付けられたヘッドレスト一体型赤外線方式ステレオオーディオ受信機を、椅子状の着座部から伸びる背もたれ部に配置することができる。この背もたれ部については、被治療者の着座時の位置やリクライニング時の臥位に伴ない、その角度や位置が変化することがあるが、送信ユニットに対向する曲面上に、複数個数の受光素子を配置設定することにより角度変化に対応する構成とし、送信ユニットより送信される赤外線情報が受信ユニットの受光角度の変化に影響されることなく受信できる構造を得ることができる。
【００１９】
（７）高電界発生装置は少なくとも高電圧発生装置・高電圧用コード・高電界発生用電極・人の着座部と背もたれ部を備えており、着座して所定位置にいる人は、電界中に身を置きながら高品質のオーディオ音響を楽しむことができる高電界発生システムが実現される。またこの高電界発生システムにおいて発生される高電界は、オーディオ装置を併用して使用しているからといってもその電界を乱されるということはなく、常に安定した性能を発揮できる。
【発明を実施するための最良の形態】
【００２０】
次に添付図面１〜１０を参照して、本発明によるオーディオ装置およびオーディオ機能付き高電界発生システムの実施の形態を詳細に説明する。
図１は、オーディオ機能を有する高電界発生システムの一例として、電位治療器の基本的な構成を示す図であって、図１(１)は側面からの概要図で、図１(２)は同じく上面からの概要図である。図１では、所定位置にいる人(被治療者)に高電圧による電界を与える高電界発生装置の椅子型着座装置２００とともに用いられるオーディオ装置を示しており、赤外線ＦＭ変調等の無線伝送方式によりオーディオ信号の送受信を行う送信ユニット３００と受信ユニット１００とを備える。
【００２１】
図１での送信ユニット３００は、オーディオ信号を受信ユニット１００に送信する手段を有し、人(被治療者)がいる着座装置２００の位置から直線距離(Ｈ)だけ受信ユニット１００から離間して配置され、送信ユニット３００の無線送信角度α１(上下面)、α２(横面)は、受信ユニット１００の受信部に適正にオーディオ信号を送信するよう角度調整がなされる。
また、高電界を発生する環境に置かれた着座装置２００は、人(被治療者)が着座できる椅子型の形状をなして、背もたれ部２１と肘掛け部(２２、２２')とを有し、受信ユニット１００は人(被治療者)が着座したとき、その人の頭部に近接する背面位置にヘッドレスト構造にして設けられるとよい。ヘッドレストとして形成された受信ユニット１００は、図１に示すように、背もたれ部２１において着座した人の頭部の耳部近傍位置になるよう設定されて取り付けられる。
【００２２】
図２は、送信ユニット(送信部)３００とこれに連結接続される外部音源ユニット４００とを説明する図である。この送信ユニット(送信部)３００は、各種音響機器を接続するための接続端子部としてPHONE端子、AUDIO端子部などを有し、ケーブルやコネクタ等の接続手段４１０を介して、外部音源ユニット４００と連結接続されている。この外部音源ユニット４００は、テレビ画面、ディスプレー(表示部)、ＤＶＤ・ＭＤ・ＣＤ等のディスク機器、ビデオデッキ、ラジカセなどを備えて構成される。
【００２３】
図３は、本発明による高電界発生システムに用いられるオーディオ装置の構成の一例を示す図である。図３のオーディオ装置は、受信ユニット(受信部)１００と送信ユニット(送信部)３００とを有し、送信ユニット(送信部)３００はケーブルを含む付属品(４１１、４１２)を介して外部音源ユニット４００と接続する。
図３において、受信ユニット(受信部)１００は、充電式または非充電式のバッテリーとしてのリチウムイオンバッテリー１４を内蔵し、その内部の基板１１上には、制御回路１５と、送信ユニットから送信された前記オーディオ信号を受信するため受光素子１２と、オーディオ信号を音声として出力するためのセラミックスピーカ１３と、を備える。
【００２４】
また、受信ユニット１００内の所定の位置に配置されるノイズを検出するためのノイズ検出センサ１６と、当該ノイズ検出センサ１６から得られた信号を処理し、所定のノイズが発生した場合に送信ユニット(送信部)３００へ状況異常を報知するための機能を有した制御回路１５と、当該制御回路１５からの状況異常信号を送信ユニット(送信部)３００へ出力するための送信用ユニット１１０とを備えて構成されている。
【００２５】
そして、この受信ユニット１００は、その人(被治療者)の頭部が当接する背面位置に一体型のヘッドレスト部として設置され、セラミックスピーカ１３はその人(被治療者)の両方の耳部に音を届けるのに最も好適になるような構造にして設計され、ヘッドレスト部内に構成部材が一体的に包含されるように設定されるとよい。
【００２６】
本発明でのスピーカとしてはセラミックスピーカを用いることとし、これらのセラミックスピーカは、圧電素子が振動音を発してこれを伝えることによって振動音が増幅される原理に基づき、薄板小型で奥行きがそれほど必要でない形状にして設計することができ、内部から臨場感のある音楽を聴くことができる。また、従来のスピーカのように指向性に配慮する必要もなくなる。
そして、本発明のセラミックスピーカとしては、ＰＺＴ(チタン酸ジルコン酸鉛焼結体)によるセラミックス圧電スピーカを用いるのが好適である。このＰＺＴスピーカでは、電磁波による人体への悪影響を考慮する必要はなく、高温多湿の環境下であっても音質を落とすことはないので、ヘッドレスト部でのスピーカ配置位置に苦労する必要がない。
【００２７】
図４(１)と図４(２)は、受信ユニット(受信部)１００の構成ブロック図の例を示す図である。
図４(１)での構成ブロック図(１)では、送信ユニット３００から送信された光信号は受光回路５１に入力され、受光回路５１→変調信号→ＦＭ復調回路５２→オーディオ信号→プリアンプ左右音量調整回路５３→オーディオ信号→ＶＣＡ(電圧制御アンプ)５４→オーディオ信号→ＰＺＴドライブ回路５５→ＰＺＴ５６、のように進んでスピーカから出力される。
【００２８】
また、図４(２)での構成ブロックでは、ノイズを検出して、送信ユニットに状況異常を報知するための機能を備えている。
ここでノイズ検出センサ１６は、受信ユニット内部の所定の位置に配置する。ここで、当該センサ１６は、ノイズを検出する機能を備えていれば良く、好ましくは、高周波ノイズに感度を有するセンサであることが望ましい。
次に、ノイズ検出センサ１６から出力されたノイズ信号１８は制御回路１５に入力され、所望の値に波形成形された後、所定のレベルを超えた場合、状況異常信号１９として、送信用ＬＥＤ１７を介して、光信号により送信ユニット３００に送信する機能を、送信用ユニット１１０は有している。
【００２９】
その後、当該光信号を、受光素子３８を介して受信した送信ユニット３００は、状況異常信号１９の状態に応じて、受信部に対して、(ｉ)音声によって異常を報知したり、緊急性の高い場合においては、(ii)システムの電源を遮断する等の機能を有している。
また、ここで図示はしていないが、送信ユニット３００の表面にシステムの状態を表示するためのＬＥＤを設けることにより、簡易的に異常を報知する構成としてもよい。
【００３０】
図５は、本発明によるオーディオ装置およびオーディオ機能付きオーディオシステムにおいて用いられる受信ユニット(受信部)１００および送信ユニット(送信部)３００の概観斜視図である。
ここでの送信ユニット(送信部)３００は、略円盤形状の薄型筐体であって、外側は上ケース体７１Ａと上ケース体７１Ａと組み合わせたものから成り、内部には各種構成部材を有し、側面の一箇所にはオーディオ信号を送信するための送信窓７２を有する。
【００３１】
また、受信ユニット(受信部)１００は、一種のヘッドレスト体として形成されており、全体としては人の頭部を収容できるような枕の形状をなす。受信ユニット１００の水平断面は略凹形またはアーチ形状であり、その両側が盛り上がって左右のスピーカボックス(８２Ａと８２Ｂ)となり、ここにはセラミックスピーカ(８１Ａと８１Ｂ)が配置設定されている。これらの左右両側にあるセラミックスピーカ(８１Ａと８１Ｂ)が人の左右の耳にあてがわれるようにして、受信ユニット１００は所定位置に配置される。また、人の頭部は中央にあるクッション部８３に納まるようになっている。そして、受信ユニット１００のスピーカボックス８２Ｂの外端面には、送信ユニット３００に向けて、オーディオ信号を受信するための受光部８８を備える。
【００３２】
図６は、本発明による受信ユニット(受信部)１００について、その内部を含む構造の詳細を示すため説明図である。それぞれの図は、図６(１)が正面からの説明図として、図６(２)はその下面からの説明図、図６(３)は右側面からの説明図である。
図６(１)および図６(２)に見られるように、受信ユニット(受信部)１００はヘッドレスト形状の構造体であって、その内部には図５と同様に、人の頭部と当接するための中央のクッション部８３、その両側で盛り上がる左右のスピーカボックス(８２Ａと８２Ｂ)、そのボックスの内側表面において人の左右の耳に近接する位置に配置されるセラミックスピーカ(８１Ａと８１Ｂ)、を備える。また、背面側にはユニット取付部８９を有しており、受信ユニット１００を椅子の背もたれ部などに直接取り付けて固定し、ヘッドレストとして配置設定をすることができる。
【００３３】
図６(３)は右側面による説明図であるが、これによれば、受信ユニット(受信部)１００のスピーカボックス８２Ｂの側端面の側には、リチウムイオンバッテリーなどからなる電源部８４とその蓋部８４ａ、電源スイッチ８７、電源確認ランプ８６、音量調節スイッチ８５、を備える。そして、スピーカボックス８２Ｂの外端面には、送信ユニット３００に向けて受光部８８を備えるが、送信ユニット３００に対向して、スピーカボックス８２Ｂの側端面の湾曲する曲面上に複数個数の受光素子８８'を配置設定している。これにより、受信ユニット１００の配置角度が変化した場合でも常に送信ユニット３００に向かう光素子８８'を確保することができ、受信ユニット１００の角度変化に影響されることなく、送信ユニットより送信される光信号が適正に受光できる構造を得ることができる。
【００３４】
図７は、本発明による受信ユニット(受信部)１００について、その外観と内部構造の一部を示すため説明図である。それぞれの図は、図７(３)を正面からの外観図とすれば、図７(１)はその背面からの外観図、図７(２)は上面からの図である。図７(１)〜(３)に示すとおり、ここでの送信ユニット(送信部)３００は、全体としては略円盤形状の薄型の筐体であって円周状に筒形の側面部を有する。
【００３５】
図７(３)に示すとおり、送信ユニット３００は外観的には上ケース体７１Ａと上ケース体７１Ａと組み合わせて一体的に構成してあり、その側面にある所定箇所には、受信ユニット１００に向けてオーディオ信号を送信するための送信窓７２と、電源確認ランプ部７３とを有する。
また、図７(２)に示すように、送信ユニット３００の上面には、電源スイッチ７５、充電状態確認ランプ部７６、その内部のリチウムイオンバッテリーなどからなる電源部７４とその蓋部７４ａ、を備える。そして、図７(１)のように、やはりその側面にある所定箇所には、電源端子３５、マイク端子３３、ＰＨＯＮＥ端子３４、を有する。
【００３６】
図８〜１０は、オーディオ機能付きの高電界発生装置の一例として、電位治療器の外観を示す図であって、この電位治療器(Ｄ１、Ｄ２、Ｄ３)は、いずれも本発明による受信ユニット(１００、１００'、１００'')を備えている。
ここでの電位治療器とは、人体を数百乃至数万ボルトの高電位にすることにより人体と大地との間に電界を発生させ、あるいは一対の電極間に高電圧を印加することにより、該電極間に電界を発生させ、これらの電界の中に人体を置くことにより、疾病を治療したり、人体を健康に導いたりすることができる装置である。この電位治療器は、内部には高電圧発生部を有して高電圧を発生させており、高電圧の一方の極は、壁・床・外装等に接続されて更に大地に接続される。従って、高電圧充電部と壁・床・外装・大地等の間には、数百乃至数万ボルトの高電圧が印加されていることになり、この間に大きな電位差があり強い電界が生じている。
【００３７】
図８における電位治療器Ｄ１は、着座した患者５００を治療する座椅子式の電位治療器であって、高電圧発生装置１、商用電源からの電源電線２、高電圧出力口３、高圧電線４、治療電極５、治療電源に取付られた絶縁用碍子６、患者５００の座る着座部２３、肘掛部２２、背もたれ部２１、椅子の脚に取付られた絶縁足２４、を備える。この図８の電位治療器Ｄ１は、患者５００の足を載せる治療電極５と、壁・床・大地等の対電極との間には数百乃至数万ボルトの高い電位差を生じさせ、この間に強い電界が発生させる装置である。
そして、本発明に特有な構造であるの受信ユニット１００は、ヘッドレストスピーカとしてスピーカ一体型の枕状の構造として形成されており、患者５００の頭部５０１の耳元にスピーカが近接する位置になるよう、背もたれ部２１に取付けベルト８９によって設定配置がなされている。
【００３８】
また、図９に示す電位治療器Ｄ２は、図８に同じく、患者５００'を治療する座椅子式の電位治療器ではあるが、この電位治療器Ｄ２では、患者５００'の頭部５０１'の上方には椅子背もたれ部２１から延伸して取付られた他方の治療電極５'を対電極として備える構造が、図８の電位治療器１００とは異なるところである。
この図９の電位治療器Ｄ２でも、本発明に特有な構成として受信ユニット１００'を備えており、この受信ユニット１００'もやはりヘッドレストによるスピーカ一体型構造として形成されており、患者５００の頭部５０１'の耳元に近接する位置に受信ユニット１００'内の左右スピーカが配置されている。
【００３９】
また、図１０に示す電位治療器Ｄ３は、図８と図９に同じく、椅子にすわった患者のために高電界を提供する座椅子式の電位治療器であり、この送受信療器Ｄ３でも、受信ユニット１００''が背もたれ部２１に取付ベルト８９''を巻き付けることによって所定位置に取付けられており、送信ユニット３００''(図示されてはいない)が離れた位置に配置されている。
なお、これまでの装置やシステム中で示されてはいないが、送信ユニット３００''や受信ユニット１００''を制御するための別体のリモコン装置を配備しておき、患者自身が操作できるようにしてもよい。リモコン装置を用いて送信ユニット３００''または受信ユニット１００''を制御するにあたっては、周知の技術を適宜に採用すれば良い。
【００４０】
これまで説明したように、本発明によるオーディオ装置およびオーディオ機能付きオーディオシステムによれば、優れたオーディオ機能付きの椅子式電位治療器が実現でき、とりわけ本発明による受信ユニットは、新技術セラミックスピーカを搭載した赤外線方式により音源から離れたところで音楽などを鑑賞することのできるスピーカ付きヘッドレスト部として構成することが可能である。
【００４１】
本発明による受信ユニットすなわちスピーカ付きヘッドレスト部(ヘッドレストスピーカ)は、次のような特長を有する。
1）耳元で音楽などを再生することで一層のくつろぎを演出し、治療効果への補助作用を期待できる。
2）従来のヘッドレストとほぼ同等の大きさで設計が可能であり、違和感なく設置することができる。
3）送信ユニットも、薄型・小型・軽量にして設計が可能であり、小スペースでの設置が可能となる。
4）セラミックスピーカ、赤外線伝送方式による無線化およびバッテリー方式を採用することにより、電界の影響を極力少なくすることができる。
【００４２】
5）ヘッドレスト部において、ボリューム調整や電源ＯＮ／ＯＦＦの操作を可能とする設計が可能である。
6）オートパワーオフ機能を付加することにより、無信号が続いた場合には自動的に電源ＯＦＦとする設計が可能である。
7）電池のカバーを取り外し可能とすることにより、クリーニングが容易となる。
8）二次電池としてリチウムイオン電池やニッケルヒ素電池を装備させて、繰り返し充電が可能で経済的に優れたものにできるし、これらの電池は外部配線もなく絶縁状態で保持することが容易であるので、電位治療器としての電位分布を乱すことはない。
9）接続ケーブルを２種類標準装備することにより、ほとんどのＡＶ機器に対応可能となる。
10）外部マイクを標準装備とすることにより、イヤホンジャックなどの出力端子がなくとも使用することができる。
【産業上の利用可能性】
【００４３】
本発明は、人体に高電界を適用する技術分野に利用でき、具体的には、高電圧による電界を利用して人体(被治療者)への治療を行うための電位治療器、また、人の周囲に高電圧による高電界環境を形成しておいてこの高電界中に人を所定時間中滞在配置しておくことにより、一種のくつろぎ感覚やリラクゼーション効果が得られる健康機器などにおいて、とりわけ有効である。
【図面の簡単な説明】
【００４４】
【図１】本発明によるオーディオ装置またはオーディオ機能付き高電界発生システムの全体構成を示す概要図である。
【図２】本発明によるオーディオ装置の送信ユニット３００と外部音源ユニット４００との接続を示すイメージ図である。
【図３】本発明によるオーディオ装置の構造を示す構成説明図である。
【図４】本発明によるオーディオ装置の受信ユニット１００の構成ブロック図である。
【図５】本発明によるオーディオ装置の受信ユニット１００と送信ユニット３００を示す外観斜視図である。
【図６】本発明によるオーディオ装置の受信ユニット１００の構造説明図である。
【図７】本発明によるオーディオ装置の送信ユニット３００の外観による構造説明図である。
【図８】本発明によるオーディオ装置の受信ユニット１００を電位治療器に適用した例を示す説明図である。
【図９】本発明によるオーディオ装置の受信ユニット１００’を別の電位治療器に適用した例を示す説明図である。
【図１０】本発明によるオーディオ装置の受信ユニット１００''をまた別の電位治療器に適用した例を示す説明図である。
【符号の説明】
【００４５】
１００  受信ユニット(ヘッドレスト型スピーカ)
２００  椅子型着座装置
２１    背もたれ部
３００  送信ユニット(送信機、トランスミッター)
４００  外部音源ユニット
８２Ａ、８２Ｂ    スピーカボックス
８１Ａ、８１Ｂ    スピーカ(セラミックスピーカ)
８３    クッション部
８８    受光部
８９、８９'、８９''  受信ユニット取付部材
Ｄ１、Ｄ２、Ｄ３  電位治療器
【図１】
2005102071.tif 000003
【図２】
2005102071.tif 000004
【図３】
2005102071.tif 000005
【図４】
2005102071.tif 000006
【図５】
2005102071.tif 000007
【図６】
2005102071.tif 000008
【図７】
2005102071.tif 000009
【図８】
2005102071.tif 000010
【図９】
2005102071.tif 000011
【図１０】
2005102071.tif 000012